(57)【特許請求の範囲】
【請求項１】
照明光を発光する光源部と、
前記光源部から発光された照明光を透過させる光学部材と、
前記光学部材から離間して配され、前記光学部材の温度を非接触で測定する温度センサと、
を備え、
前記温度センサは、前記光源部が発光する前記照明光の光路外に配されており、
前記温度センサは、前記光学部材から放射された光を受光し、受光量から前記光学部材の温度を測定する放射温度センサであり、
前記光学部材は、前記光源部の光軸が通過する集光領域と当該集光領域の周囲に設けられた拡散領域とを備えており、
前記温度センサの測定光軸は、前記集光領域に向けて延びていることを特徴とする照明装置。
【請求項２】
前記光源部を前記照明光の光軸方向に移動させて前記光学部材に対して進退させる移動機構を更に備え、
前記温度センサは、前記移動機構によって前記光源部が移動される移動経路の外側に配されていることを特徴とする請求項１に記載の照明装置。
【請求項３】
照明光を発光する光源部と、
前記光源部から発光された照明光を透過させる光学部材と、
前記光学部材から離間して配され、前記光学部材の温度を非接触で測定する温度センサと、
前記光源部を前記照明光の光軸方向に移動させて前記光学部材に対して進退させる移動機構と
を備え、
前記温度センサは、前記移動機構によって前記光源部が移動される移動経路の外側に配されており、
前記温度センサは、前記光学部材から放射された光を受光し、受光量から前記光学部材の温度を測定する放射温度センサであり、
前記光学部材は、前記光源部の光軸が通過する集光領域と当該集光領域の周囲に設けられた拡散領域とを備えており、
前記温度センサの測定光軸は、前記集光領域に向けて延びていることを特徴とする照明装置。
【請求項４】
照明光を発光する光源部と、
前記光源部から発光された照明光を透過させる光学部材と、
前記光学部材から離間して配され、前記光学部材の温度を非接触で測定する温度センサと、
前記光源部を前記照明光の光軸方向に移動させて前記光学部材に対して進退させる移動機構と
を備え、
前記温度センサは、前記移動機構によって前記光源部が移動される移動経路の外側に配されており、
前記温度センサの測定光軸は、前記光源部の移動範囲を通過して前記光学部材へ延びており、
前記光源部が前記温度センサの前記測定光軸と重なる位置に存在する場合には、前記移動機構に前記光源部を前記温度センサの前記測定光軸から外れた位置まで移動させた後に、前記温度センサによる前記光学部材の温度測定を開始せしめる制御部を更に備える照明装置。
【請求項５】
前記温度センサは、該温度センサの前記測定光軸が、前記光源部の存在位置とは無関係に前記光学部材に到達する位置に配置されていることを特徴とする請求項１から３のいずれか１項に記載の照明装置。
【請求項６】
照明光を発光する光源部と、
前記光源部から発光された照明光を透過させる光学部材と、
前記光学部材から離間して配され、前記光学部材の温度を非接触で測定する温度センサと、
を備え、
前記温度センサは、前記光源部が発光する前記照明光の光路外に配されており、
前記光源部を該光源部の光軸方向に移動させて前記光学部材に対して進退させる移動機構を備え、
前記温度センサは、
その測定光軸が前記光源部の移動範囲を通過して前記光学部材へ延びており、前記光学部材から放射された光を受光し、その受光量から前記光学部材の温度を測定する第１放射温度センサと、
その測定光軸が前記光源部の移動範囲外において前記光学部材へ延びており、前記光学部材から放射された光を受光し、その受光量から前記光学部材の温度を測定する第２放射温度センサと、
を備える照明装置。
【請求項７】
前記温度センサは、前記光学部材から放射された赤外光を受光し、その受光量から前記光学部材の温度を測定する赤外放射温度センサであることを特徴とする請求項１〜請求項６の何れか１項に記載の照明装置。
【発明の詳細な説明】
【技術分野】
【０００１】
本発明は、照明装置に関する。
【背景技術】
【０００２】
ストロボのフレネルレンズを空冷することにより、該フレネルレンズの温度上昇を抑制する技術が知られている（例えば、特許文献１参照）。また、接触型温度センサによりストロボの昇圧回路を測定する技術が知られている（例えば、特許文献２参照）。
【先行技術文献】
【特許文献】
【０００３】
【特許文献１】特開２００７−１９２９７１号公報
【特許文献２】特開２００７−２２７３４７号公報
【発明の概要】
【発明が解決しようとする課題】
【０００４】
光源から発光された照明光の光路を遮ることなく、該照明光を透過する光学部材の、該照明光の通過領域における温度を実測することにより、温度管理を精度よく実施できる照明装置を提供することを課題とする。
【課題を解決するための手段】
【０００５】
上記課題を解決するために、本発明の第１の態様においては、照明光を発光する光源部（１４０）と、前記光源部から発光された照明光を透過させる光学部材（１６０）と、前記光学部材から離間して配され、前記光学部材の温度を非接触で測定する温度センサ（１９０）と、を備える照明装置（１００）を提供する。
【０００６】
なお、上記の発明の概要は、本発明の必要な特徴の全てを列挙したものではない。また、これらの特徴群のサブコンビネーションもまた、発明となりうる。
【発明の効果】
【０００７】
本発明によれば、光源から発光された照明光の光路を遮ることなく、該照明光を透過する光学部材の、該照明光の通過領域における温度を実測することにより、温度管理を精度よく実施できる照明装置を提供することができる。
【図面の簡単な説明】
【０００８】
【図１】照明装置１００を示す斜視図である。
【図２】照明装置１００を示す斜視図である。
【図３】照明装置１００を示す側断面図である。
【図４】可動筐体１３０を示す側断面図である。
【図５】他の実施形態に係る照明装置の可動筐体２３０を示す側断面図である。
【図６】他の実施形態に係る照明装置の可動筐体３３０を示す側断面図である。
【図７】照明装置１００を装着した撮像装置２００の構造を模式的に示す縦断面図である。
【図８】他の実施形態に係る撮像装置３００の構造を模式的に示す斜視図である。
【発明を実施するための形態】
【０００９】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１０】
図１は、本実施形態に係る照明装置を示す斜視図である。この図に示すように、照明装置１００は、相互に連結された固定筐体１１０と可動筐体１３０とを備えている。
【００１１】
固定筐体１１０は、下端面に配された取付部１２０と、前面に配された補助光光源１１１及びリモート用レディライト１１３とを備えている。取付部１２０は、カメラボディのホットシューに嵌合する取付脚１２２と、ホットシューにおいて信号を伝達する連動接点１２４とを備えている。取付脚１２２をホットシューに嵌合させた状態で、固定筐体１１０が、カメラボディに固定される。
【００１２】
補助光光源１１１は、透明なカバー１１５に覆われており、動作モードに応じて発光する。例えば、補助光光源１１１は、暗い撮影環境下でオートフォーカス動作が実行される場合に、被写体を照明する。また、リモート用レディライト１１３は、照明装置１００から離れた位置で操作する場合に、後述するメインキャパシタへの充電完了を通知する。
【００１３】
可動筐体１３０は、図示の状態において前面に配される閃光発生部１４０と、側面に配されるロック解除ボタン１３６とを備えている。また、可動筐体１３０は、閃光発生部１４０の前面側に、広角拡散板１４１とキャッチライト反射板１４３とを備えている。広角拡散板１４１とキャッチライト反射板１４３とは、可動筐体１３０の内部に収容可能であり、必要に応じて閃光発生部１４０の前面に配したり、可動筐体１３０の内部に収容したりされる。
【００１４】
可動筐体１３０は、後端近傍に配された水平回動部１３２と垂直回動部１３４とを備えている。水平回動部１３２の下端は、固定筐体１１０の上端面に結合され、水平回動部１３２の上端は、垂直回動部１３４を介して可動筐体１３０に結合されている。即ち、可動筐体１３０は、水平回動部１３２及び垂直回動部１３４を介して水平方向及び垂直方向に回動可能に固定筐体１１０に結合されている。従って、閃光発生部１４０を被写体に向けて直接に被写体を照明することができる他、閃光発生部１４０を被写体から外れた方向に向けて、間接光により被写体を照明することもできる。
【００１５】
水平回動部１３２及び垂直回動部１３４は、ロック機構により係止されることによって所定の回動位置で停止される一方、ロック解除ボタン１３６がユーザにより操作された場合には、回動する。これにより、可動筐体１３０が不用意に向きを変えることが防止されている。
【００１６】
閃光発生部１４０は、可動筐体１３０の前面に配されたフレネルレンズ１６０を備えている。また、閃光発生部１４０は、可動筐体１３０の内部に配された後述の放電管を備えており、放電管から発光された閃光を当該フレネルレンズ１６０に対して直交する方向へ照射させる。
【００１７】
図２は、照明装置１００を背面側から示す斜視図である。この図に示すように、固定筐体１１０の背面には、表示部２０２と操作部２０４とが配されている。表示部２０２は、液晶表示パネル１１４とレディライト１１６とを含む。操作部２０４は、複数のボタン１１８とダイアル１１９とを含む。
【００１８】
図３は、照明装置１００を示す側断面図である。この図に示すように、固定筐体１１０は、電池室１１２と、該電池室１１２に収容された電池１８０と、電池１８０により電力を供給されて動作する電子回路１８２とを内蔵している。電子回路１８２は、照明装置１００を制御する後述のＣＰＵ、カメラボディとの通信を司る通信装置等の他、閃光発生部１４０に供給する高電圧を発生する昇圧回路等も含む。
【００１９】
可動筐体１３０は、閃光発生部１４０の他に、閃光発生部１４０に電力を供給するメインキャパシタ１３８も内蔵する。メインキャパシタ１３８は、電子回路１８２の昇圧回路から印加される高電圧により迅速に充電される。また、電子回路１８２から閃光発生の指令を受けた場合に急速に放電する。
【００２０】
閃光発生部１４０は、閃光を発生する放電管１４２、例えばキセノン管と、放電管１４２が発生した閃光を反射する反射傘１４４とを備えている。放電管１４２は、メインキャパシタ１３８から高電圧を印加された場合に放電して閃光を発生させる。また、反射傘１４４は、閃光発生部１４０の前方側に向けて開口しており、放電管１４２から発光された閃光を、閃光発生部１４０の前方側へ向けて出射させる。なお、閃光の光軸Ｌ１は、フレネルレンズ１６０の中央部を通過する。
【００２１】
また、可動筐体１３０には、閃光発生部１４０を閃光の光軸Ｌ１の方向に移動させる移動機構１５０が内蔵されている。移動機構１５０は、モータ１５２と、モータ１５２より回転されるボールネジ１５４と、閃光発生部１４０をボールネジ１５４に支持する支持部１５６とを備えている。
【００２２】
モータ１５２は、閃光発生部１４０の移動領域１５１より後方上側に配されている。モータ１５２の回転軸は、光軸Ｌ１と平行に配されており、当該回転軸とボールネジ１５４とが一体的に形成されている。即ち、ボールネジ１５４は、移動領域１５１の後方上側から光軸Ｌ１と平行に前方側へ延在している。
【００２３】
支持部１５６は、板材であって、支持部１５６の上端はボールネジ１５４に螺合され、支持部１５６の下端は反射傘１４４の上面に結合されている。また、支持部１５６は、ボールネジ１５４と平行に配されたガイドバーと摺動自在に嵌合している。このため、ボールネジ１５４がモータ１５２により回転された場合には、支持部１５６及び閃光発生部１４０は、光軸Ｌ１の方向へ移動する。
【００２４】
また、可動筐体１３０の内部には、閃光発生部１４０とメインキャパシタ１３８との間を仕切る隔壁１３９が配されている。該隔壁１３９は、移動領域１５１の下方側においてフレネルレンズ１６０の下端部まで延在している。
【００２５】
ここで、隔壁１３９における移動領域１５１の下側の部位は、移動領域１５１の後端から前後方向の中央まで光軸Ｌ１を平行に延びる後部１４６と、移動領域１５１の前後方向の中央から前端まで光軸Ｌ１に対して離間する側へ傾斜して延びる前部１４５とで構成されている。前部１４５には、光軸Ｌから離間する側へ凹んだ凹部１４７が形成されており、該凹部１４７には、温度センサ１９０が配されている。該温度センサ１９０は、計測対象物から放射された赤外光を受光して、その受光量から計測対象物の温度を計測する赤外放射温度計である。
【００２６】
温度センサ１９０の受光面１９１は、フレネルレンズ１６０の中央部に向けられている。即ち、温度センサ１９０の受光面１９１の中央部から法線方向へ延びる測定光軸Ｌ２が、フレネルレンズ１６０の中央部に到達し、且つ光軸Ｌ１と交差する。このため、温度センサ１９０の受光面１９１は、フレネルレンズ１６０の中央部から放射された赤外光を受光する。そして、温度センサ１９０は、その受光量からフレネルレンズ１６０の中央部の温度を計測する。
【００２７】
図４は、可動筐体１３０を示す側断面図である。この図に示すように、フレネルレンズ１６０は、その中央部を中心とした矩形状の領域である集光領域１６２と、集光領域１６２の周囲を囲む拡散領域１６４とを備えている。集光領域１６２は、反射傘１４４の前端と、同等の面積、同等の形状をしており、放電管１４２が発光した閃光を集光させる。一方、拡散領域１６４は、放電管１４２が発光した閃光を拡散させる。
【００２８】
ここで、温度センサ１９０は、その測定光軸Ｌ２が、フレネルレンズ１６０の中央部、即ち集光領域１６２の中央部に到達するように配されている。また、温度センサ１９０の検知角度φは、検知範囲が集光領域１６２に限られる程度に狭く設定されている。また、前部１４５における凹部１４７は、閃光の光路１４９より下側に配されており、当該凹部１４７に配された温度センサ１９０の受光部は、閃光の光路１４９の外側に存する。また、温度センサ１９０の受光部は、閃光発生部１４０の移動領域１５１の下方、即ち移動領域１５１の外側に存する。
【００２９】
上述の電子回路１８２は、ＣＰＵ１６６と、発光制御回路１６８と、モータドライバ１７０とを備えている。ＣＰＵ１６６は、照明装置１００全体の制御を司る。また、発光制御回路１６８は、メインキャパシタ１３８の放電及び充電を制御する昇圧回路と、放電管１４２の発光のオン／オフの切替、発光量の調整等を実施する光源制御回路とを含んでいる。また、モータドライバ１７０は、モータ１５２のオン／オフの切替、回転方向の切替等を実施する。
【００３０】
温度センサ１９０は、ＣＰＵ１６６に接続されており、計測結果をＣＰＵ１６６へ出力する。ＣＰＵ１６６は、温度センサ１９０による計測値が閾値以上である場合に、発光制御回路１６８へ、放電管１４２の発光禁止、及びメインキャパシタ１３８の放電禁止の指令を出力する。また、ＣＰＵ１６６は、温度センサ１９０による計測値が閾値以上である場合に、表示部２０２へ警告表示を表示させたり、スピーカーから警告音を発生させたりする。
【００３１】
ここで、閃光発生部１４０は、図中破線で示すように、移動領域１５１における前端（以下、ワイド端という）まで移動した状態で、反射傘１４４の前端部は、微小な隙間を介してフレネルレンズ１６０と対向する。この状態で、温度センサ１９０の測定光軸Ｌ２と閃光発生部１４０とは重なり合う。一方、閃光発生部１４０は、ワイド端から、図中実線で示すように、移動領域１５１における後端（以下、テレ端という）まで移動する途中で、温度センサ１９０の検知範囲から退避する。
【００３２】
ＣＰＵ１６６は、閃光発生部１４０がワイド端に位置する場合には、温度センサ１９０による温度の計測を停止したり、または、温度センサ１９０の計測値に基づいた制御を停止したりする。そして、ＣＰＵ１６６は、放電管１４２の閃光の発光が停止した後に、モータドライバ１７０へ駆動信号を出力してモータ１５２を作動させ、閃光発生部１４０をテレ端まで、あるいは移動領域１５１における中間位置まで後退させる。その後、ＣＰＵ１６６は、温度センサ１９０による温度の計測を開始させたり、または、温度センサ１９０の計測値に基づいた制御を開始させたりする。
【００３３】
上述したように、本実施形態に係る照明装置１００では、非接触型の温度センサ１９０が、フレネルレンズ１６０の集光領域１６２から放射された放射光を受光して、その受光量から該集光領域１６２の温度を計測する。ここで、非接触型の温度センサ１９０を用いてフレネルレンズ１６０の温度を測定することにより、温度センサ１９０を、放電管１４２から発光された閃光の光路１４９の外に配することが可能となっている。
【００３４】
これによって、放電管１４２から発光された閃光の光路１４９を遮ることなく、該閃光を透過するフレネルレンズ１６０の温度を実測することができる。従って、照明装置１０００の照明機能を損ねることなく、フレネルレンズ１６０の温度管理を精度よく実施できる。
【００３５】
また、温度センサ１９０の受光部を、放電管１４２から発光された閃光の光路１４９の外に配置することができることにより、温度センサ１９０の周辺温度の上昇を抑制できる。よって、温度センサ１９０の計測値の誤差成分を減少でき、以って、温度センサ１９０によるフレネルレンズ１６０の温度測定の精度を向上できる。
【００３６】
また、フレネルレンズ１６０における光軸Ｌ１が通過する集光領域１６２は、その周囲の拡散領域１６４と比較して温度上昇が大きい。ここで、温度センサ１９０の測定光軸Ｌ２が、フレネルレンズ１６０の光軸Ｌ１が通過する集光領域１６２に向けられると共に、温度センサ１９０の検知範囲が該集光領域１６２に限定されている。従って、本実施形態に係る照明装置１００では、フレネルレンズ１６０における最高温度を検知できるので、フレネルレンズ１６０の熱破壊を効果的に抑制できる。
【００３７】
また、温度センサ１９０を、閃光発生部１４０の移動経路の外側に配したことにより、温度センサ１９０により閃光発生部１４０の可動範囲が制限されることを防止できる。特に、閃光発生部１４０のワイド端側への移動範囲が温度センサ１９０により制限されることを防止できる。
【００３８】
また、閃光発生部１４０が温度センサ１９０の測定光軸Ｌ２と重なる位置に存在する場合には、ＣＰＵ１６６が、移動機構１５０に閃光発生部１４０を測定光軸Ｌ２から外れた位置まで移動させた後に、温度センサ１９０によるフレネルレンズ１６０の温度測定を開始せしめる。これにより、温度センサ１９０により閃光発生部１４０の温度が計測され、ＣＰＵ１６６が、当該温度に基づいた誤った制御を実施することを防止できる。
【００３９】
また、本実施形態に係る照明装置１００では、フレネルレンズ１６０の最高温度に上昇する測定点を実測できる。即ち、当該測定点の温度を、当該測定点の外周側に離れて設定された他の測定点の温度から推測するのではなく、実測できる。従って、フレネルレンズ１６０の最高温度に上昇する測定点の温度管理を高精度に実施できる。
【００４０】
なお、本実施形態では、温度センサ１９０として赤外光を受光してその受光量から測定対象物の温度を計測する赤外放射温度センサを用いた。しかし、温度センサ１９０としては、可視光を受光してその受光量から測定対象物の温度を計測する他の放射温度センサも適用できる。また、放電管１４２として照明光としての閃光を発光するキセノン管を用いたが、ＬＥＤを用いてもよい。
【００４１】
図５は、他の実施形態に係る照明装置の可動筐体２３０を示す側断面図である。この図に示すように、可動筐体２３０では、温度センサ１９０が、その測定光軸Ｌ２が集光領域１６２と拡散領域１６４との境界部に到達するように配されている。
【００４２】
ここで、集光領域１６２の面積及び形状は、それぞれ反射傘１４４の前端の面積及び形状と同等である。また、温度センサ１９０は、反射傘１４４の移動経路外に配されている。このため、温度センサ１９０の測定光軸Ｌ２は、ワイド端に位置する反射傘１４４から遮られることなく、集光領域１６２と拡散領域１６４との境界部に到達する。従って、本実施形態に係る照明装置では、閃光発生部１４０の光軸Ｌ１方向の存在位置とは無関係に、温度センサ１９０の測定光軸Ｌ２をフレネルレンズ１６０に到達させることができ、フレネルレンズ１６０の温度をいつでも（常時）リアルタイムで実測できる。
【００４３】
図６は、他の実施形態に係る照明装置の可動筐体３３０を示す側断面図である。この図に示すように、可動筐体３３０では、温度センサ１９０が、その測定光軸Ｌ２が移動領域１５１外において集光領域１６２と拡散領域１６４との境界部に到達するように配されている。また、凹部１４７における該温度センサ１９０よりテレ端側には、温度センサ１９２が配されている。該温度センサ１９２は、その測定光軸Ｌ３が移動領域１５１を通過して光軸Ｌ１と交差するように配されている。このため、本実施形態に係る照明装置では、温度センサ１９０の測定光軸Ｌ２と温度センサ１９２の測定光軸Ｌ３との少なくとも一方が、閃光発生部１４０の光軸Ｌ１方向の存在位置とは無関係に、フレネルレンズ１６０に到達する。
【００４４】
ＣＰＵ１６６は、閃光発生部１４０がワイド端に位置する場合には、温度センサ１９０の測定値に基づいて閃光発生部１４０の発光制御、ユーザへの警告を実施する。一方、ＣＰＵ１６６は、閃光発生部１４０が温度センサ１９０の測定光軸Ｌ２から外れた位置まで後退した場合には、温度センサ１９２の測定値に基づいて閃光発生部１４０の発光制御、ユーザへの警告を実施する。
【００４５】
これにより、本実施形態に係る照明装置では、閃光発生部１４０の光軸Ｌ１方向の存在位置とは無関係に、フレネルレンズ１６０の温度を計測できる。また、フレネルレンズ１６０の中央部、即ち最高温度に上昇する測定点の温度をリアルタイムでかついつでも（常時）検知できるので、フレネルレンズ１６０の温度管理の信頼性を向上できる。
【００４６】
図７は、照明装置１００を装着した撮像装置２００の構造を模式的に示す縦断面図である。この図に示すように、撮像装置２００は、レンズユニット４１０およびボディ４６０を含む。
【００４７】
レンズユニット４１０は、マウント４５０を介して、ボディ４６０に対して着脱自在に装着される。レンズユニット４１０は、光学部材４２０、光学部材４２０を収容する鏡筒４３０、および、鏡筒４３０の内部に設けられて光学部材４２０を駆動するモータ４０１を含む。一方、ボディ４６０は、メインミラー５４０、ペンタプリズム４７０、接眼光学系４９０を含む光学系を有する。
【００４８】
メインミラー５４０は、レンズユニット４１０を介して入射した入射光の光路上に傾斜して配置される待機位置と、入射光を避けて上昇する撮影位置（図中に点線で示す）との間を移動する。待機位置にあるメインミラー５４０は、入射光の大半を、上方に配置されたペンタプリズム４７０に導く。ペンタプリズム４７０は、入射光の鏡映を接眼光学系４９０に向かって出射するので、フォーカシングスクリーン４７２の映像を接眼光学系４９０から正像として見ることができる。
【００４９】
入射光の残りは、ペンタプリズム４７０により測光ユニット４８０に導かれる。測光ユニット４８０は、入射光の強度および強度分布等を測定する。なお、ペンタプリズム４７０および接眼光学系４９０の間には、ファインダ液晶４９４に形成された表示画像を、フォーカシングスクリーン４７２からの映像に重ねるハーフミラー４９２が配置される。
【００５０】
メインミラー５４０は、入射光の入射面に対する裏面にサブミラー５４２を有する。サブミラー５４２は、メインミラー５４０を透過した入射光の一部を、下方に配置された測距ユニット５３０に導く。これにより、メインミラー５４０が待機位置にある場合は、測距ユニット５３０が被写体までの距離を測定する。なお、メインミラー５４０が撮影位置に移動した場合は、サブミラー５４２も入射光の光路から退避する。
【００５１】
更に、入射光に対してメインミラー５４０の後方には、シャッタ５２０、光学フィルタ５１０および撮像素子５００が順次配置される。シャッタ５２０が開放される場合、直前にメインミラー５４０が撮影位置に移動するので、入射光は直進して撮像素子５００に入射される。これにより、入射光の形成する画像が電気信号に変換される。
【００５２】
一方、レンズユニット４１０は、図中で左側にあたる入射端から鏡筒４３０内に順次配列された、フロントレンズ４２２、コンペンセータレンズ４２４、フォーカシングレンズ４２６およびメインレンズ４２８を含む光学系を有する。光学系は、鏡筒４３０に収容される。また、フォーカシングレンズ４２６およびメインレンズ４２８の間には、アイリスユニット４４０が配置される。
【００５３】
更に、レンズユニット４１０は、鏡筒４３０の内部に、モータ４０１を備える。モータ４０１は、光軸方向について鏡筒４３０の中程にあって相対的に小径なフォーカシングレンズ４２６の下方に配置される。これにより、鏡筒４３０の径を拡大することなく鏡筒４３０内に収容され、フォーカシングレンズ４２６を光軸方向に前進または後退させる。
【００５４】
ボディ４６０は、ボディ４６０の内部であって、上記光学系の光路を外れた位置に制御部５５０を備える。制御部５５０は、ボディ４６０内部の各部の動作を制御するに留まらず、マウント４５０を介して電気信号を送受信することにより、レンズユニット４１０内部のモータ４０１の動作も制御する。
【００５５】
照明装置１００は、ボディ４６０の頂部に設けられたアクセサリーシュー５６０に、取付脚１２２を嵌合させることにより装着される。これにより、取付部１２０と一体的に形成された固定筐体１１０は、ボディ４６０に対して固定される。また、照明装置１００の連動接点１２４を介して、ボディ４６０側の制御部５５０と通信できる状態になる。
【００５６】
制御部５５０は、ボディ４６０側の測距ユニット５３０が検出した被写体までの距離、露出等の情報を、連動接点１２４を介して照明装置１００にも通知する。これにより、照明装置１００は、ボディ４６０の動作と連動して、発光のタイミングの他、発光量等の制御をする。
【００５７】
図８は、他の撮像装置３００の構造を模式的に示す斜視図である。この図に示すように、撮像装置３００は、シャッタ４６２、モードダイアル４６４、鏡筒４３０等を備えたボディ４６０に、更に、照明装置１００を備える。照明装置１００は、ボディ４６０内における鏡筒４３０の上側に配されている。
【００５８】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００５９】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００６０】
１００  照明装置、１１０  固定筐体、１１１  補助光光源、１１２  電池室、１１３  リモート用レディライト、１１４  液晶表示パネル、１１５  カバー、１１６  レディライト、１１８  ボタン、１１９  ダイアル、１２０  取付部、１２２  取付脚、１２４  連動接点、１３０  可動筐体、１３２  水平回動部、１３４  垂直回動部、１３６  ロック解除ボタン、１３８  メインキャパシタ、１３９  隔壁、１４０  閃光発生部、１４１  広角拡散板、１４２  放電管、１４３  キャッチライト反射板、１４４  反射傘、１４５  前部、１４６  後部、１４７  凹部、１４９  光路、１５０  移動機構、１５１  移動領域、１５２  モータ、１５４  ボールネジ、１５６  支持部、１６０  フレネルレンズ、１６２  集光領域、１６４  拡散領域、１６６  ＣＰＵ、１６８  発光制御回路、１７０  モータドライバ、１８０  電池、１８２  電子回路、１９０、１９２  温度センサ、１９１  受光面、２００  撮像装置、２０２  表示部、２０４  操作部、２３０  可動筐体、３００  撮像装置、３３０  可動筐体、４０１  モータ、４１０  レンズユニット、４２０  光学部材、４２２  フロントレンズ、４２４  コンペンセータレンズ、４２６  フォーカシングレンズ、４２８  メインレンズ、４３０  鏡筒、４４０  アイリスユニット、４５０  マウント、４６０  ボディ、４６２  シャッタ、４６４  モードダイアル、４７０  ペンタプリズム、４７２  フォーカシングスクリーン、４８０  測光ユニット、４９０  接眼光学系、４９２  ハーフミラー、４９４  ファインダ液晶、５００  撮像素子、５１０  光学フィルタ、５２０  シャッタ、５３０  測距ユニット、５４０  メインミラー、５４２  サブミラー、５５０  制御部、５６０  アクセサリーシュー
【図１】
0005458735.tif 000002
【図２】
0005458735.tif 000003
【図３】
0005458735.tif 000004
【図４】
0005458735.tif 000005
【図５】
0005458735.tif 000006
【図６】
0005458735.tif 000007
【図７】
0005458735.tif 000008
【図８】
0005458735.tif 000009